(57)【要約】【課題】大型で重量のある物品を容易に低コストで梱包でき、開梱や解体も容易な梱包箱を提供する。【解決手段】一対の半箱部材１から構成し、各半箱部材１は、立面板２の一端に平面板３を、両側に側面板４をそれぞれ連設すると共に、平面板３の先端に先折片５を、両側に側折片６を連設した構成とし、立面板２と平面板３とを直角に折り曲げ、側面板４に側折片６を重ね、側面板４と側折片６とを固定した状態で、一対の半箱部材１を天地逆に組み合わせ、相互の半箱部材１の先折片５を立面板２に重ね、ジョイント具１４で固定して封緘し、ジョイント具１４を取り外すだけで、開梱・解体できるようにする。【選択図】図４
2007326620.tif 000002
【特許請求の範囲】
【請求項１】
一対の半箱部材(1)から成り、各半箱部材(1)は、立面板(2)の一端に平面板(3)を、両側に側面板(4)をそれぞれ連設すると共に、平面板(3)の先端に先折片(5)を、両側に側折片(6)を連設した構成とし、立面板(2)と平面板(3)とを直角に折り曲げ、側面板(4)に側折片(6)を重ね、側面板(4)と側折片(6)とを固定した状態で、一対の半箱部材(1)を天地逆に組み合わせ、相互の半箱部材(1)の先折片(5)を立面板(2)に重ね、ジョイント具(14)で固定して封緘する梱包箱。
【発明の詳細な説明】
【技術分野】
【０００１】
この発明は、テレビ等の大型重量物の梱包に適した梱包箱に関するものである。
【背景技術】
【０００２】
従来、下記特許文献１には、図５に示すような梱包箱が記載されている。この梱包箱では、前面板５１に側面板５２、後面板５３及び側面板５２を順次連設して周壁を形成し、側面板５２及び後面板５３の下端から延びる底フラップ５４，５５を内側へ折り曲げて、底フラップ５４に補助固定材５６をステープル等で固定する。
【０００３】
そして、物品を箱内に収納した後、前面板５１と一方の側面板５２の隣接部をジョイント具で固定すると共に、補助固定材５６の前起片５７と前面板５１の下部とをジョイント具で固定し、側面板５２の上端に連設した天フラップ５８と、前面板５１及び後面板５３の上端に連設した天フラップ５９とを重ね合わせて、封止用の紐で固定する。
【０００４】
【特許文献１】実開昭５１−１４８３６２号公報
【発明の開示】
【発明が解決しようとする課題】
【０００５】
しかしながら、上記のような梱包箱では、封緘にステープルやジョイント具等の固定具を多数必要とするため、梱包に手間やコストがかかるだけでなく、開梱や解体にも手間がかかるという問題がある。
【０００６】
そこで、この発明は、大型で重量のある物品を容易に低コストで梱包でき、開梱や解体も容易な梱包箱を提供することを課題とする。
【課題を解決するための手段】
【０００７】
上記課題を解決するため、この発明に係る梱包箱は、一対の半箱部材から成り、各半箱部材は、立面板の一端に平面板を、両側に側面板をそれぞれ連設すると共に、平面板の先端に先折片を、両側に側折片を連設した構成とし、立面板と平面板とを直角に折り曲げ、側面板に側折片を重ね、側面板と側折片とを固定した状態で、一対の半箱部材を天地逆に組み合わせ、相互の半箱部材の先折片を立面板に重ね、ジョイント具で固定して封緘することとしたのである。
【発明の効果】
【０００８】
この発明に係る梱包箱では、半箱部材を組み合わせる前において、一方の半箱部材の立面板を後壁とし、平面板を底壁とすると、この半箱部材の前面及び上面が開放された状態となるので、物品を容易に挿入できる。
【０００９】
また、一対の半箱部材は、同一構造であることから、共通の抜型で製造でき、封緘に際して、ステープルや粘着テープ等による固定も不要となり、梱包コストを削減できる。
【００１０】
また、半箱部材を組み合わせてジョイント具で固定した梱包状態から、ジョイント具を取り外すだけで、半箱部材を分離して開梱でき、前面及び上面が開放された一方の半箱部材から物品を容易に取り出すことができる。
【００１１】
そして、側面板と側折片とを分離すると、各半箱部材を扁平化でき、廃棄に伴う解体も容易に行うことができる。
【発明を実施するための最良の形態】
【００１２】
以下、この発明の実施形態を添付図面に基づいて説明する。
【００１３】
この梱包箱は、液晶やプラズマ等の薄型大画面のテレビの梱包に使用する段ボール製のものであり、図１に示すような一対の半箱部材１のブランクから構成される。このブランクでは、立面板２の一端に平面板３が、両側に側面板４がそれぞれ連設され、平面板３の先端に先折片５が、両側に側折片６がそれぞれ連設されている。
【００１４】
側折片６の側面板４に隣接する一側には、基端に抜止用の切込を有する差込片７が突設され、側面板４の下部には立面板２との稜線に沿って差込穴８が設けられている。側面板４の両端には係合突起９がそれぞれ設けられ、平面板３には側折片６との稜線に沿って各２個の係合穴１０が設けられている。
【００１５】
立面板２の端部には２個のジョイント穴１１が設けられ、先折片５にも２個のジョイント穴１１が設けられている。側折片６には、それぞれ２個の押込片付き把手穴１２が設けられ、側面板４には２個の貫穴１３が設けられている。
【００１６】
このようなブランクを組み立てて、商品であるテレビを梱包するには、図２に示すように、各半箱部材１において、立面板２と平面板３とを直角に折り曲げ、側面板４に側折片６を重ね、係合突起９を係合穴１０に係合させ、差込片７を差込穴８に差し込んで、側面板４と側折片６とを固定し、半箱部材１を側面視Ｌ字状に保形する。
【００１７】
次に、一方の半箱部材１の立面板２を後壁とし、平面板３を底壁として、この半箱部材１にテレビを挿入する。
【００１８】
そして、図３に示すように、他方の半箱部材１を、立面板２を前壁とし、平面板３を天壁として、一対の半箱部材１を天地逆に組み合わせ、係合突起９を係合穴１０に係合させて、半箱部材１同士の位置決めをする。
【００１９】
その後、図４に示すように、相互の半箱部材１の先折片５を立面板２に重ね、一致したジョイント穴１１にジョイント具１４を差し込んで、立面板２と先折片５とを固定する。
【００２０】
上記のような梱包箱では、一方の半箱部材１にテレビを挿入する際、この半箱部材１の前面及び上面が開放された状態となっているので、重量のある大画面のテレビを容易に挿入できる。
【００２１】
また、上記梱包箱からテレビを取り出す際、ジョイント具１４を取り外すだけで、半箱部材１を分離して開梱でき、前面及び上面が開放された一方の半箱部材１からテレビを容易に取り出すことができる。
【００２２】
そして、差込片７を差込穴８から引き抜いて、側面板４と側折片６とを分離すると、各半箱部材１を扁平化でき、廃棄に伴う解体も容易に行うことができる。
【００２３】
さらに、一対の半箱部材１が同一構造であることから、これらを共通の抜型で製造できるので、抜型の製作費が増加することもなく、封緘に際して、ステープルや粘着テープ等による固定も不要となり、梱包コストを削減できる。
【００２４】
また、梱包状態において、側面板４と側折片６が重なって、把手穴１２と貫穴１３とが一致しているので、把手穴１２の周縁が補強され、把手穴１２に手を掛けて梱包箱を持ち上げる際、把手穴１２の周縁から段ボールが破れにくくなり、把手補強シールを側折片６の裏面に貼り付ける必要がなくなる。
【００２５】
なお、上記実施形態では、各半箱部材１の側面板４と側折片６とを、差込片７を差込穴８に差し込むことにより固定したが、側面板４と側折片６とは、一致した把手穴１２と貫穴１３にジョイント具を差し込むことにより、固定するようにしてもよい。
【００２６】
そのほか、一対の半箱部材１の対向する立面板２及び側面板４から成る周壁は、一般的な四角筒としたが、角部を面取りした八角筒等の多角筒として、取扱性や積上強度の向上を図ってもよい。
【図面の簡単な説明】
【００２７】
【図１】この発明の実施形態に係る梱包箱の半箱部材のブランクを示す図
【図２】同上の半箱部材の組立状態を示す斜視図
【図３】同上の半箱部材の組合せ過程を示す斜視図
【図４】同上の梱包状態を示す斜視図
【図５】従来の梱包箱の開梱状態を示す斜視図
【符号の説明】
【００２８】
１  半箱部材
２  立面板
３  平面板
４  側面板
５  先折片
６  側折片
７  差込片
８  差込穴
９  係合突起
１０  係合穴
１１  ジョイント穴
１２  把手穴
１３  貫穴
１４  ジョイント具
【図１】
2007326620.tif 000003
【図２】
2007326620.tif 000004
【図３】
2007326620.tif 000005
【図４】
2007326620.tif 000006
【図５】
2007326620.tif 000007